(57)【要約】【課題】  管体を埋設する溝の掘削及び溝の土留めに用いられる土留プレートに関し、施工性及び作業性に優れた土留プレートを提供することを課題とする。【解決手段】  屈曲板を横向きに固着したプレートと、このプレートの左右両端部に固定され、上端部が上記プレートの上面部より下方に位置し、かつ下部がプレートから下方に突出した縦梁と、上記縦梁の上部に設けられ、上端部が上記プレートの上面部と同一の高さに形成されるとともに、他の上位に位置する土留プレートの縦梁の下部が突入嵌合して接続可能な接続部材と、上記縦梁及び接続部材に設けられ、他の土留プレートとの間を支える切梁を装着する取付孔と、を有する構成である。【選択図】  図１
2005264629.tif 000002
【特許請求の範囲】
【請求項１】
屈曲板を横向きに固着したプレートと、
このプレートの左右両端部に固定され、上端部は上記プレートの上面部より下方に位置し、かつ下部にはプレートから下方に突出する連結部が形成された縦梁と、
上記縦梁の上部に設けられ、上端部が上記プレートの上面部と同一の高さに形成されるとともに、他の上位に位置する土留プレートの縦梁の連結部が突入嵌合して接続可能な接続部材と、
上記縦梁及び接続部材に設けられ、他の土留プレートとの間を支える切梁を装着する取付孔と、を有することを特徴とする土留プレート。
【請求項２】
上記縦梁の連結部に、下端に向けて先細りとなる斜面部が形成されたことを特徴とする請求項１に記載の土留プレート。
【請求項３】
上記接続部材の板厚を上記縦梁の板厚よりも厚くするとともに、この縦梁及び接続部材の水平断面形状を、プレートとの間に空間部が形成されるコの字状とし、かつこの断面形状の厚さ方向の幅を左右方向の幅の略二分の一としたことを特徴とする請求項１又は請求項２に記載の土留プレート。
【請求項４】
上記縦梁の取付孔の裏面部に、この取付孔と連通する孔が設けられた平板部、及び両側板部からなる水平断面がコの字状の補強板を重ねて固定したことを特徴とする請求項１乃至請求項３の何れかに記載の土留プレート。
【請求項５】
上記接続部材の板厚を、上記縦梁の板厚の２倍程度としたことを特徴とする請求項１乃至請求項４の何れかに記載の土留プレート。
【請求項６】
屈曲板を横向きに固着したプレートと、
このプレートの左右両端部に固定され、上端部は上記プレートの上面部より下方に位置し、かつ下部には、表面からプレートの下端部に向けて傾斜する斜面部が鋭角状に形成された縦梁と、
上記縦梁の上部に設けられ、上端部が上記プレートの上面部と同一の高さに形成されるとともに、他の上位に位置する土留プレートの縦梁の連結部が突入嵌合して接続可能な接続部材と、
上記縦梁及び接続部材に設けられ、他の土留プレートとの間を支える切梁を装着する取付孔と、を有し、
上記接続部材の板厚を上記縦梁の板厚よりも厚くするとともに、この縦梁及び接続部材の水平断面形状を、プレートとの間に空間部が形成されるコの字状とし、かつこの断面形状の厚さ方向の幅を左右方向の幅の略二分の一としたことを特徴とする土留プレート。
【請求項７】
上記接続部材の板厚を上記縦梁の板厚の２倍程度とするとともに、この縦梁の取付孔の裏面部に、この取付孔と連通する孔が設けられた平板部、及び両側板部からなる補強板を重ねて固定したことを特徴とする請求項６に記載の土留プレート。
【請求項８】
上記縦梁の上端部近傍と、この縦梁の取付孔の下部近傍に水平状に閉塞板を設けたことを特徴とする請求項６又は請求項７に記載の土留プレート。
【発明の詳細な説明】
【技術分野】
【０００１】
本発明は、管体を埋設する溝の掘削及び溝の土留めに用いられる土留プレートに関する。
【背景技術】
【０００２】
従来より、上下水道管或いはガス管等を埋設するための溝の掘削工事及び溝の土留めとして、特許文献１に示す土留装置が使用されている。この土留装置１００は図7に示すように、溝を堀りながら土留装置を溝内に押し込む、建て込み工法により溝を掘削する。土留装置１００は、上下に重ねられた土留プレート１０２と、他の土留プレートとの間を支える切梁１０４とから構成されている。
【０００３】
図８は、上記の土留プレート１０２を示したもので、屈曲鉄板が固着されたプレート１０６の左右両端部に縦梁１０８が立設固定されている。この縦梁１０８には取付孔１１０が設けられ、また縦梁１０８の上部には、プレート１０６から上方に突出した状態で接続金具１１２が取付けられている。
【０００４】
使用時には、掘削する溝幅に対応する間隔で配置した土留プレート同士を切梁１０４を用いて連結し、接続金具１１２を利用して他の土留装置を上部に重ねて接続する。上記組立てられた土留装置を予掘りがされた溝内に搬入し、バックホー等の掘削機を用いて、この土留装置の箱状の内部を掘削し、土留装置を溝の下方へと押し込む。この作業を繰返して所定の深さに土留装置を設置する。
【特許文献１】実開平５−８７０２９号公報
【特許文献２】特開平８−４００８号公報
【特許文献３】特開平９−５９９８７号公報
【発明の開示】
【発明が解決しようとする課題】
【０００５】
さて、上記土留プレート１０２は、縦梁の上部に設けた接続金具１１２がプレートから上方に突出しており、このため建て込み終了時に覆工板などを敷く場合には、接続金具１１２が邪魔になって覆工板の配置の妨げとなって作業がやり辛いという問題があった。また、土留プレート１０２の縦梁１０８が溝内へ出っ張り、構内における作業空間が狭くなる等の問題があった。
【０００６】
本発明は、上記問題点に鑑みてなされたものであり、施工性及び作業性に優れた土留プレートを提供することを目的としている。
【課題を解決するための手段】
【０００７】
以上の技術的課題を解決するため、本発明に係る土留プレートは、図１〜図３に示すように、屈曲板を横向きに固着したプレートと、このプレートの左右両端部に固定され、上端部は上記プレートの上面部より下方に位置し、かつ下部にはプレートから下方に突出する連結部が形成された縦梁と、上記縦梁の上部に設けられ、上端部が上記プレートの上面部と同一の高さに形成されるとともに、他の上位に位置する土留プレートの縦梁の連結部が突入嵌合して接続可能な接続部材と、上記縦梁及び接続部材に設けられ、他の土留プレートとの間を支える切梁を装着する取付孔と、を有する構成である。
【０００８】
本発明に係る土留プレートは、上記縦梁の連結部に、下端に向けて先細りとなる斜面部が形成された構成である。
【０００９】
本発明に係る土留プレートは、上記接続部材の板厚を上記縦梁の板厚よりも厚くするとともに、この縦梁及び接続部材の水平断面形状を、プレートとの間に空間部が形成されるコの字状とし、かつこの断面形状の厚さ方向の幅を左右方向の幅の略二分の一とした構成である。
【００１０】
本発明に係る土留プレートは、上記縦梁の取付孔の裏面部に、この取付孔と連通する孔が設けられた平板部、及び両側板部からなる水平断面がコの字状の補強板を重ねて固定した構成である。
【００１１】
本発明に係る土留プレートは、上記接続部材の板厚を、上記縦梁の板厚の２倍程度とした構成である。
【００１２】
本発明に係る土留プレートは、図４及び図５に示すように、屈曲板を横向きに固着したプレートと、このプレートの左右両端部に固定され、上端部は上記プレートの上面部より下方に位置し、かつ下部には、表面からプレートの下端部に向けて傾斜する斜面部が鋭角状に形成された縦梁と、上記縦梁の上部に設けられ、上端部が上記プレートの上面部と同一の高さに形成されるとともに、他の上位に位置する土留プレートの縦梁の連結部が突入嵌合して接続可能な接続部材と、上記縦梁及び接続部材に設けられ、他の土留プレートとの間を支える切梁を装着する取付孔と、を有し、上記接続部材の板厚を上記縦梁の板厚よりも厚くするとともに、この縦梁及び接続部材の水平断面形状を、プレートとの間に空間部が形成されるコの字状とし、かつこの断面形状の厚さ方向の幅を左右方向の幅の略二分の一とした構成である。
【００１３】
本発明に係る土留プレートは、上記接続部材の板厚を上記縦梁の板厚の２倍程度とするとともに、この縦梁の取付孔の裏面部に、この取付孔と連通する孔が設けられた平板部、及び両側板部からなる補強板を重ねて固定した構成である。
【００１４】
本発明に係る土留プレートは、上記縦梁の上端部と、この縦梁の取付孔の下部近傍に水平状に閉塞板を設けた構成である。
【発明の効果】
【００１５】
以上説明したように、本発明に係る土留プレートによれば、プレートから下方に突出する連結部が形成された縦梁、上端部がプレートの上面部と同一の高さに形成される接続部材、縦梁及び接続部材に設けられ切梁を装着する取付孔を有する構成としたから、土留プレートの上面部が平坦となって、地表に敷設する覆工板等の邪魔にならないので覆工板の施工が簡単になるという効果がある。
【００１６】
また、本発明に係る土留プレートによれば、縦梁の連結部に、下端に向けて先細りとなる斜面部が形成された構成としたから、上部に接続する他の土留装置の連結がし易くなるという効果がある。
【００１７】
本発明に係る土留プレートによれば、接続部材の板厚を縦梁の板厚よりも厚くするとともに、縦梁及び接続部材の断面形状の厚さ方向の幅を左右方向の幅の略二分の一としたから、縦梁の表裏間の厚さを薄くすることができ、溝内での作業空間を広く確保することができるという効果がある。
【００１８】
本発明に係る土留プレートによれば、縦梁の取付孔の裏面部に水平断面がコの字状の補強板を固定した構成としたから、縦梁内に土砂が侵入しても途中でつまらずに下に落下するので、掃除がし易く土砂の除去作業が容易に行えるという効果がある。
【００１９】
本発明に係る土留プレートによれば、接続部材の板厚を、縦梁の板厚の２倍程度とする構成としたから、縦梁の上部の補強が行えて剛性が確保され、かつ建て込み時における強度も確保できるという効果がある。
【００２０】
また、本発明に係る土留プレートによれば、プレートの左右両端部に固定され、下部に斜面部が形成された縦梁、縦梁の上部に設けられ、上端部がプレートの上面部と同一の高さに形成される接続部材、切梁を装着する取付孔を有し、接続部材の板厚を縦梁よりも厚くするとともに、縦梁及び接続部材の水平断面形状を厚さ方向の幅を左右方向の幅の略二分の一とした構成としたから、土留プレートの上面部が平坦となって上部の物の障害となるような事態がなくなり、また薄型の土留プレートが得られ、加えて土留プレートの地中への押し込みが容易になるという効果がある。
【００２１】
本発明に係る土留プレートは、接続部材の板厚を縦梁の板厚の２倍程度とするとともに、この縦梁の取付孔の裏面部に補強板を固定した構成としたから、縦梁の補強が行えて剛性が確保され、かつ建て込み時における強度も確保できるという効果がある。
【００２２】
本発明に係る土留プレートは、縦梁の上端部と、この縦梁の取付孔の下部近傍に水平状に閉塞板を設けた構成としたから、縦梁内への土砂の浸入が防止され、併せて縦梁が補強されるという効果がある。
【発明を実施するための最良の形態】
【００２３】
以下、本発明の実施の形態を図面に基づいて説明する。図１及び図２は、第一の実施の形態に係り、土留装置に用いられる土留プレート１０を示したものである。この土留プレート１０は下記土留装置２の中間の位置或いは上端の位置に用いられる。
【００２４】
この土留プレート１０は、鋼板製のプレート１２と、その左右両端部に設けられた縦梁１４とを有している。この土留プレート１０は全体が鋼材で構成されるが、安定した地盤或いは掘削が浅い溝等に適用する場合には、土留プレートの材料を軽量金属製とすることもできる。
【００２５】
上記プレート１２は、土留プレート１０全体の裏面部（土砂側）を形成している。図２に示すように、上記縦梁１４は、側板２０、表面板２２からなる断面コの字状の長尺部材である。この縦梁１４の上端部には、縦梁１４を囲む状態で、断面コの字状の接続部材３６が固定されている。このとき、縦梁１４の側板２０と、接続部材３６との間には、スペーサ３５を介在して、嵌合の誤差を吸収するようにしている。
【００２６】
縦梁１４は、接続部材３６の上端部がプレート１２の上面部１３と同じ高さになる状態で、プレート１２の両端にそれぞれ配置溶着される。このように、接続部材３６の上端部３７とプレート１２の上面部１３とは同じ高さにして全体を平坦に形成し、地表に配置される覆工板等の配置の邪魔にならないようにしている。
【００２７】
また、縦梁１４の下部は、プレート１２から下方に連結部１６が突出形成され、この連結部１６には、下方に向かうに従って側板２０の幅が狭く先細りとなるテーパ面部２４が形成されている。縦梁１４の下端部近傍には、表面板２２に設けた孔の裏面部に、内部に螺旋溝が刻設された止着部材４８が溶着されている。ウイングボルト９０を用いて、下段に接続された土留プレートをこの連結部１６に固定する。また、縦梁１４の上下の中間部には、側板２０の端部を凹状に切り欠いた水抜き用の孔部４６が設けられている。
【００２８】
上記縦梁１４及び接続部材３６の水平断面形状は、奥行き幅が左右幅の略二分の一となっている。このため、縦梁１４、接続部材３６はともに厚み（奥行き）が薄くなっており、土留プレート１０に挟まれた溝内の作業空間を広く確保できる。そしてプレート１２に対し、縦梁１４の上端部は、プレート１２の上面部１３よりも下方に位置し、上記接続部材３６の上端部３７が、プレート１２の上面部１３と同じ高さに配置されている。
【００２９】
上記縦梁１４の上下の中間部には、表面板２２の略中央部に上下に長い長方形状の取付孔２６が形成されている。この取付孔２６は、下記切梁２８の一端部を差し込んで係止固定するもので、取付孔２６の裏面側には、この取付孔２６と同様の孔が形成された補強板３０が固定されている。この補強板３０は、側部３２、接合部３４からなる水平断面がコの字状の部材であり、接合部３４が縦梁１４の表面板２２の裏面部に溶着され、取付孔２６の周辺を補強している。
【００３０】
この補強板３０は、軽量化のために、比較的板厚を薄くした縦梁１４の取付孔２６の部位を補強する一方、水平断面をコの字状に形成して断面積を小さくしている。この補強板３０の形状は、土砂等が縦梁１４の上方から内部に侵入した場合であっても、縦梁１４の内部空洞部が広く確保されていることから、容易に縦梁１４内を通過して下部側へ落下する。このため、土砂等が縦梁１４の中間部にたまることもなく清掃もし易い。
【００３１】
上記接続部材３６は、縦梁１４よりも板厚が厚く、側板３８、表面板４０からなる断面コの字形の部材であり、表面板４０の上寄りの位置に取付孔２６が、またこの下側には止着用の孔部４４が設けられている。この接続部材３６の板厚（この実施形態では１２ｍｍ）は、縦梁１４の板厚（６ｍｍ）の２倍である。
【００３２】
このように、接続部材３６の板厚を厚くしたのは、建て込みの際に、上から重機で打ち込むときの強度及びプレート１２の上部の強度を確保するためである。一方、縦梁１４の板厚は、土留プレート１０としての強度が確保できる程度の厚さとして、全体的な軽量化を図った。なお、接続部材３６の取付孔２６は、土留プレート１０（又はこれを用いた土留装置）を吊り上げる際の、重機の吊りロープフックの係止孔としても用いられる。
【００３３】
図１に示すように、両端部に縦梁１４が溶着されたプレート１２には、所定の間隔をおいて上下の各部位に、それぞれ横向きに鋼製の屈曲板５０が取り付けられ、この屈曲板５０の左右の端部は、それぞれ縦梁１４の側壁に溶接されている。これら屈曲板５０は、長尺状の鋼板を表板部と上下の側板部とからなる断面コの字状に屈曲形成したものである。また、屈曲板５０の内側には、プレート１２との間の空間部を閉塞する状態で、複数枚の補強板５２が取付けられている。この補強板５２は、中央部をエンボス形成５４して板の強度を高めている。
【００３４】
上記補強板５２によって、プレート１２の剛性が確保される一方、プレート１２の表裏間の厚みを薄くしている。そして、上記上下の屈曲板５０間には、横に長い凹部５６が形成され、これにより軽量化が図られ、また作業空間が確保される。この凹部５６の中央部には補強のための仕切り板６０が配置固定されている。
【００３５】
図３は第二の実施の形態に係る土留プレート７０を示したものである。この土留プレート７０は、上記土留プレート１０と同様、プレート７２とその左右両端部に設けられた縦梁７４とを有する。この土留プレート７０は、上記第一の実施の形態に係る土留プレート１０と比べて高さが低い点が異なるが、縦梁７４等の基本的な形態は略同様であり、共通事項については図中などの符号を統一して説明をする。この土留プレート７０は、土留装置を組み立てる際、上記土留プレート１０では高さが溝の深さに適合しない場合、等に用いる。
【００３６】
上記縦梁７４は、それぞれ鋼板製のプレート７２の表面部に溶接により固定される。そして、プレート７２の上部寄りの位置に、横向きに上記と同様の屈曲板５０が溶着されている。さらに、この屈曲板５０の表面の下部近傍から、プレート７２の下端部にかけて受け板７６が配置され、この受け板７６の上端部は屈曲板５０の表面部に溶着される一方、下端部がプレート７２側に屈曲形成してプレート７２に溶着されている。上記以外の点は、土留プレート１０と同様であるので、説明は省略する。
【００３７】
図４及び図５は、第三の実施の形態に係る土留プレート８０を示したものである。この土留プレート８０は、土留装置を組み立てる場合に最下段の位置に用いられる。この土留プレート８０は上記土留プレート１０と同様、鋼板製のプレート８２とその左右両端部に設けられた縦梁８４とを有する。
【００３８】
この縦梁８４は高さの点、及び下端部の形態の点で上記土留プレート１０とは異なるが、土留プレート１０と共通する事項については図中などの符号を統一して説明を省略する。この土留プレート８０は、プレート８２の下端部に、地中への押し込みを容易にするための斜面部８５が形成され、またプレート８２の表面部は全体的に平坦に形成されている。
【００３９】
図５に示すように、上記縦梁８４の下部には、縦梁８４の表面側から裏面側のプレート８２の下端部に向けて傾斜する傾斜板８３が設けられ、先端角度略２０°の斜面部８５が形成されている。また縦梁８４の上部近傍及び中間部には、縦梁８４の表面板８６の略中央部に、それぞれ取付孔２６が設けられている。そして、切梁８４の上端部近傍及び中間部の取付孔２６の下部には、それぞれ水平状に縦梁８４内の空間部を閉塞する閉塞板８８，８９が形成されている。
【００４０】
また、上記閉塞板８９の上部には、縦梁８４の側板９１を凹状に切り欠いた水抜き用の孔部８７が形成されている。上記縦梁８４は、接続部材３６の上端部がプレート８２の上面部と同じ高さになる状態で、プレート８２の両端にそれぞれ配置溶着されている。そして、閉塞板８９及び下方の傾斜板８３により、縦梁８４内の空間部は閉塞されたものとなる。また、上部の閉塞板８８により、上部から縦梁８４に土砂等が侵入することはなく、また閉塞板８８と閉塞板８９間の空間部に侵入した水は、上記孔部８７から排出される。
【００４１】
図４に示すように、上記プレート８２の表面部の上部及び中間部の２箇所には、それぞれ横向きに上記と同様の屈曲板５０が配置され、また、プレート８２の下部には、中央部から上端にかけて平坦で、上端部からはプレート８２向きに屈曲形成される一方、下部は表面側から裏面側のプレート８２の下端部に向けて傾斜（先端角度略２０°）する斜面部８５を有する屈曲傾斜板９２が固定されている。さらに、上記屈曲板５０同士の間、及び屈曲板５０と屈曲傾斜板９２間、の各凹部を覆う形態で受け板９４が固定されている。上記屈曲板５０及び屈曲傾斜板９２の各左右の端部は、それぞれ縦梁８４の側壁に溶着されている。
【００４２】
このように、土留プレート８０の縦梁８４の下端部、及びプレート８２の下端部のエッジ部の角度を鋭くすることにより、建て込み時の土砂抵抗が小さくなり作業性が改善される。また、土留プレート８０は、プレート８２の表面に受け板９４を配置してフラット化したことで、引き抜き時における土砂抵抗が軽減できる。
【００４３】
さて、溝を掘削する際には、上記各土留プレート１０，８０等、及び切梁２８を用いて土留装置２を組み立てる。この切梁２８は、ゴムバッファが端部に取付けられた筒部、長さを調節するハンドル、土留プレートの縦梁の取付孔２６に突入係止させるウエッジボルトを締めつけ固定するテーパー形状のコッター９８を有している。
【００４４】
ここで、上記土留プレート１０，８０を用いて土留装置２を組み立てる場合について説明する。下段側の土留プレート８０を組立てる際には、この土留プレート８０の接続部材３６の取付孔２６に作業用重機の吊りロープのフックを挿入し、土留プレート８０を吊り上げて立て置く。他の土留プレート８０も同様にして向かい合わせの位置に下ろし、溝の掘削幅に間隔をあわせ、切梁２８を土留プレート８０間に装着する。
【００４５】
切梁２８の装着の際には、コッター９８を緩めてウエッジボルトを引き出して取付孔２６に突入させ、コッター９８とともにウエッジボルトを９０度回して取付孔２６の裏面の補強板３０に係止し、コッター９８をハンマ等で打ち込んでウエッジボルトを締めつけて固定する。土留プレート８０の両側の縦梁８４に切梁２８を装着すると、四方を囲まれたボックス状の土留装置が構成される。
【００４６】
次に、上段側の土留プレート１０を作業用重機で吊り上げ、この土留プレート１０の縦梁１４下部の連結部１６を、下段側の土留プレー８０の縦梁８４上端部の接続部材３６にそれぞれ突入嵌合する。この場合、連結部１６は先細りのテーパ面部２４に形成されていることから、矩形状に開口した接続部材３６へは、テーパ面部２４を滑って差込み嵌合が容易かつ正確に行える。この嵌合した状態で、接続部材３６に設けられた孔部４４と止着部材４８のネジ孔とは連通しているので、ウイングボルトを孔部４４から挿入して接続部材３６に螺合固定する。
【００４７】
他の側にも、同様にして土留プレート１０を重ねて固定し、上記と同様に両土留プレート１０間に切梁２６を装着する。この状態で、図６に示す二段重ねの土留装置が組み上がる。この二段重ねの土留装置の高さで不足する場合には、さらに第二の実施の形態に係る土留プレート７０を重ねた土留装置等を構成することができる。土留プレートの組み合わせは上記に限らず、溝の深さに応じ適宜の組み合わせにより所望する高さの土留装置を組み立てる。
【００４８】
溝の掘削に際しては、まず、所定区間にわたって溝を浅く予堀りし、この溝内にクレーン等を用いて上記土留装置を搬入する。そして、バックホー等の掘削重機を用いて、この土留装置のボックス状の内部を掘削し、土留装置を押し込む。この土留装置の押し込みの際には、例えばバックホーのバケット部を用いて土留プレート１０両端の接続部材３６の上部を交互に押圧し、徐々に土留装置を溝内に押し込む。
【００４９】
必要な区間に渡って土留装置の建て込みが終了すると、土留プレート間の作業空間を利用し、管等の溝内への敷設作業を行う。工事期間中、一連の作業が終了すると、地表（土留装置の上部）に覆工板を敷いて溝部を覆う。この場合、土留装置には上方に突出する突起が無いため、覆工板の敷設施工が支障なく簡単に行える。
【００５０】
従って、上記各実施の形態に係る土留プレートによれば、土留プレートの上端が平坦なため、覆工板の敷設施工が簡単かつ迅速に行え、また縦梁の厚さを薄くしたため、土留プレート間の作業空間が広く確保され、溝内での作業者の作業がし易くなった。また、上下の土留プレートの連結が容易に行え、土留プレートの土砂掃除作業に煩わされることもない。
【図面の簡単な説明】
【００５１】
【図１】第一の実施の形態に係る土留プレートの、（ａ）平面図、（ｂ）正面図、（ｃ）側面図である。
【図２】第一の実施の形態に係る縦梁の、（ａ）平面図、（ｂ）側面図、（ｃ）背面図である。
【図３】第二の実施の形態に係る土留プレートの、（ａ）平面図、（ｂ）正面図、（ｃ）側面図である。
【図４】第三の実施の形態に係る土留プレートの、（ａ）平面図、（ｂ）正面図、（ｃ）側面図である。
【図５】第三の実施の形態に係る縦梁の、（ａ）平面図、（ｂ）側面図、（ｃ）背面図、（ｄ）Ａ−Ａ断面図である。
【図６】実施の形態に係り、組み立てた土留装置を示す斜視図である。
【図７】従来例に係る土留装置を示す図である。
【図８】従来例に係る土留プレートを示す図である。
【符号の説明】
【００５２】
１０，７０，８０  土留プレート
１２，７２，８２  プレート
１４，７４，８４  縦梁
１６  連結部
２６  取付孔
２８  切梁
３０  補強板
３６  接続部材
【図１】
2005264629.tif 000003
【図２】
2005264629.tif 000004
【図３】
2005264629.tif 000005
【図４】
2005264629.tif 000006
【図５】
2005264629.tif 000007
【図６】
2005264629.tif 000008
【図７】
2005264629.tif 000009
【図８】
2005264629.tif 000010